(57)【要約】 【課題】  携帯端末の多機能化等に伴って、新たな形態の携帯端末を提供する。【解決手段】  携帯端末（１）は、第一筐体（１００）と、表面が第一筐体の表面と対向するように折り畳み可能な第二筐体（２００）と、表面及び裏面の夫々に表示部（３０１ａ、３０１ｂ）を備え、且つ表面が第一筐体の表面と対向するように折り畳み可能な表示用筐体（３００）とを備え、第二筐体（２００）が折り畳まれておらず且つ表示用筐体（３００）が折り畳まれている状態で、裏面の表示部（３０１ｂ）を用いる第一の機能を実現し、第二筐体（２００）が折り畳まれておらず且つ表示用筐体（３００）が折り畳まれていない状態で、表面の表示部（３０１ａ）を用いる第二の機能を実現し、第二筐体（２００）が折り畳まれており且つ表示用筐体（３００）が折り畳まれていない状態で、表面の表示部（３０１ａ）を用いる第三の機能を実現する。【選択図】      図１
2007019680.tif 000002
【特許請求の範囲】
【請求項１】
第一筐体と、
前記第一筐体の端部に連結され、表面が前記第一筐体の表面と対向するように折り畳み可能に配置される第二筐体と、
表面及び裏面の夫々に表示部を備え、且つ前記第一筐体の端部に連結される表示用筐体と
を備え、
前記表示用筐体は、表面が前記第一筐体の表面と対向するように折り畳み可能に配置され、
前記第二筐体が前記第一筐体に折り畳まれておらず且つ前記表示用筐体が前記第一筐体に折り畳まれている状態で、少なくとも前記表示用筐体の裏面の前記表示部を用いる第一の機能を実現し、
前記第二筐体が前記第一筐体に折り畳まれておらず且つ前記表示用筐体が前記第一筐体に折り畳まれていない状態で、少なくとも前記表示用筐体の表面の前記表示部を用いる第二の機能を実現し、
前記第二筐体が前記第一筐体に折り畳まれており且つ前記表示用筐体が前記第一筐体に折り畳まれていない状態で、少なくとも前記表示用筐体の表面の前記表示部を用いる第三の機能を実現することを特徴とする携帯端末。
【請求項２】
前記第一筐体は、表面に第一操作部を備え、
前記第二筐体は、表面に第二操作部及び裏面に第三操作部を備え、
前記第一操作部は、少なくとも前記第二の機能が実現される状態で使用され、
前記第二操作部は、少なくとも前記第一の機能及び前記第二の機能が実現される状態で使用され、
前記第三操作部は、少なくとも前記第三の機能が実現される状態で使用されることを特徴とする請求項１に記載の携帯端末。
【請求項３】
前記第一の機能は携帯電話機能であり、
前記第二操作部は、少なくとも数字入力用の数字キーを含む携帯電話用の操作キーを備えることを特徴とする請求項２に記載の携帯端末。
【請求項４】
前記第二の機能は、パーソナルコンピュータ機能であり、
前記第一操作部及び前記第二操作部の少なくとも一方は、少なくとも文字入力用の文字キーを含むパーソナルコンピュータ用の操作キーを備えることを特徴とする請求項２又は３に記載の携帯端末。
【請求項５】
前記第一操作部及び前記第二操作部の少なくとも一方は、少なくとも数字入力用の数字キーを更に含む前記パーソナルコンピュータ用の操作キーを備えることを特徴とする請求項４に記載の携帯端末。
【請求項６】
前記第三の機能は、ゲーム機能であり、
前記第三操作部は、少なくともゲームを操作するための操作キーを備えることを特徴とする請求項２から５のいずれか一項に記載の携帯端末。
【請求項７】
前記第一筐体、前記第二筐体及び前記表示用筐体の夫々の位置関係、ユーザによる当該携帯端末の持ち方並びにユーザの設定の少なくとも一つに応じて、前記第一操作部、前記第二操作部及び前記第三操作部の少なくとも一つのキーパターンを変更する手段を更に備えることを特徴とする請求項２から６のいずれか一項に記載の携帯端末。
【請求項８】
前記表示用筐体は、裏面が前記第二筐体の表面と対向するように折り畳み可能に配置されることを特徴とする請求項１から７のいずれか一項に記載の携帯端末。
【請求項９】
前記第一筐体及び前記第二筐体が折り畳まれた状態で、前記第一筐体の表面と前記第二筐体の表面との間に、前記表示用筐体を配置可能な空隙が形成されることを特徴とする請求項１から８のいずれか一項に記載の携帯端末。
【請求項１０】
前記第二筐体は、前記第一筐体の一の端部に連結され、
前記表示用筐体は、前記一の端部に対して略直交する前記第一筐体の他の端部に連結されることを特徴とする請求項１から９のいずれか一項に記載の携帯端末。
【発明の詳細な説明】
【技術分野】
【０００１】
本発明は、携帯電話やＰＤＡ（Personal Digital Assistance）等のポータブルな携帯端末に関する。
【背景技術】
【０００２】
近年、携帯電話やＰＤＡ等のポータブルな情報端末（言い換えれば、携帯端末）の普及が進んでいる。この携帯端末の分野においては、多機能化が進んでおり、例えばデジタルカメラや音楽プレーヤ等を搭載する携帯端末、ラジオやテレビ等を視聴することができる携帯端末、ゲーム等を楽しむことができる携帯端末、或いはインターネットにアクセスし、電子メールの送受信やＷＥＢページの閲覧を行うことができる携帯端末等が開発され、その普及が進んでいる。
【０００３】
また、携帯端末の多機能化と並行して、携帯端末の形状の多様化も進んでいる。例えば、特許文献１には、第１操作部を備える第１筐体と第２操作部を備える第２筐体との展開角度を任意に設定することにより、ユーザの操作性を向上させる携帯電話機が開示されている。
【０００４】
【特許文献１】特開２００４−４０４９０号公報
【発明の開示】
【発明が解決しようとする課題】
【０００５】
本発明は、上述した携帯端末の多機能化等に伴って、新たな形態の携帯端末を提供することを課題とする。
【課題を解決するための手段】
【０００６】
上記課題を解決するために本発明の携帯端末は、第一筐体と、前記第一筐体の端部に連結され、表面が前記第一筐体の表面と対向するように折り畳み可能に配置される第二筐体と、表面及び裏面の夫々に表示部を備え、且つ前記第一筐体の端部に連結される表示用筐体とを備え、前記表示用筐体は、表面が前記第一筐体の表面と対向するように折り畳み可能に配置され、前記第二筐体が前記第一筐体に折り畳まれておらず且つ前記表示用筐体が前記第一筐体に折り畳まれている状態で、少なくとも前記表示用筐体の裏面の前記表示部を用いる第一の機能を実現し、前記第二筐体が前記第一筐体に折り畳まれておらず且つ前記表示用筐体が前記第一筐体に折り畳まれていない状態で、少なくとも前記表示用筐体の表面の前記表示部を用いる第二の機能を実現し、前記第二筐体が前記第一筐体に折り畳まれており且つ前記表示用筐体が前記第一筐体に折り畳まれていない状態で、少なくとも前記表示用筐体の表面の前記表示部を用いる第三の機能を実現する。
【０００７】
本発明の携帯端末によれば、ヒンジ部等を介して、第一筐体の端部に第二筐体が連結されている。特に、第二筐体は、第二筐体が第一筐体に向かって（或いは、第一筐体が第二筐体に向かって）折り畳み可能なように配置されている。第二筐体が第一筐体に向かって折り畳まれた場合、第二筐体の表面は第一筐体の表面と対向している（言い換えれば、向き合っている）。即ち、第二筐体は、第一筐体に対して折り畳まれた状態（即ち、閉じた状態）及び第一筐体に対して折り畳まれていない状態（即ち、開いた状態）の夫々をとる。尚、本発明においては、「折り畳まれた状態」とは、第一筐体と第二筐体とが概ね閉じた位置関係にある状態を少なくとも示す趣旨である。他方、「折り畳まれていない状態」とは、上述の「折り畳まれた状態」を除く状態を示す趣旨であり、第一筐体と第二筐体とが概ね開いた位置関係にある状態を少なくとも示す趣旨である。これは、後述の表示用筐体と第一筐体との関係においても同様である。
【０００８】
また、表示用筐体は、その表面及び裏面の夫々に、文字や数字や映像等の各種表示対象物を表示する表示部を備えている。つまり、表示用筐体は、両面表示ディスプレイを備えている。また、表示用筐体は、第一筐体の端部（より具体的には、例えば第二筐体が連結される端部とは異なる端部）に連結されており、表示用筐体が第一筐体に向かって折り畳み可能なように配置されている。表示用筐体が第一筐体に向かって折り畳まれた場合、表示用筐体の表面は第一筐体の表面と対向している。即ち、表示用筐体は、第一筐体に対して折り畳まれた状態（即ち、閉じた状態）及び第一筐体に対して折り畳まれていない状態（即ち、開いた状態）の夫々をとる。
【０００９】
本発明では特に、第二筐体が第一筐体に折り畳まれておらず（即ち、第二筐体が第一筐体に対して開いた状態）、且つ表示用筐体が第一筐体に折り畳まれている状態（即ち、表示用筐体が第一筐体に対して閉じた状態）で、少なくとも表示用筐体の裏面の表示部を用いる第一の機能を実現する。また、第二筐体が第一筐体に折り畳まれておらず（即ち、第二筐体が第一筐体に対して開いた状態）、且つ表示用筐体が第一筐体に折り畳まれていない状態（即ち、表示用筐体が第一筐体に対して開いた状態）で、少なくとも表示用筐体の表面の表示部を用いる第二の機能を実現する。また、第二筐体が前記第一筐体に折り畳まれており（即ち、第二筐体が第一筐体に対して閉じた状態）、表示用筐体が第一筐体に折り畳まれていない状態（即ち、表示用筐体が第一筐体に対して開いた状態）で、少なくとも表示用筐体の表面の表示部を用いる第三の機能を実現する。
【００１０】
つまり、携帯端末が備える第一筐体、第二筐体及び表示用筐体の夫々の位置関係に応じて、携帯端末が実現する機能を変えることができる。特に、携帯端末が備える第一筐体、第二筐体及び表示用筐体の夫々の位置関係に応じて、表示用筐体のいずれの面の表示部を用いるかが決定される。このため、より好適な表示部を用いて第一の機能、第二の機能及び第三の機能の夫々を実現することができる。このため、携帯端末の機能の変更にかかわらず、ユーザにとって表示部を視認しやすい状態を好適に実現することができるため、新規な形態を有するユーザフレンドリーな携帯端末を提供することができる。
【００１１】
本発明の携帯端末の一の態様は、前記第一筐体は、表面に第一操作部を備え、前記第二筐体は、表面に第二操作部及び裏面に第三操作部を備え、前記第一操作部は、少なくとも前記第二の機能が実現される状態で使用され、前記第二操作部は、少なくとも前記第一の機能及び前記第二の機能が実現される状態で使用され、前記第三操作部は、少なくとも前記第三の機能が実現される状態で使用される。
【００１２】
この態様によれば、携帯端末が備える第一筐体、第二筐体及び表示用筐体の夫々の位置関係に応じて（言い換えれば、携帯端末が実現する機能に応じて）、第一操作部、第二操作部及び第三操作部のいずれを用いるかが決定されるため、より好適な操作部を用いて第一の機能、第二の機能及び第三の機能の夫々を実現することができる。このため、携帯端末の機能の変更にかかわらず、操作が行いやすい状態をユーザに好適に提供することができる。このため、新規な形態を有するユーザフレンドリな携帯端末をユーザに提供することができる。
【００１３】
上述の如く第一操作部、第二操作部及び第三操作部を備える携帯端末の態様では、前記第一の機能は携帯電話機能であり、前記第二操作部は、少なくとも数字入力用の数字キーを含む携帯電話用の操作キーを備えるように構成してもよい。
【００１４】
このように構成すれば、本発明の携帯端末を携帯電話機として使用することができる。
【００１５】
上述の如く第一操作部、第二操作部及び第三操作部を備える携帯端末の態様では、前記第二の機能は、パーソナルコンピュータ機能であり、前記第一操作部及び前記第二操作部の少なくとも一方は、少なくとも文字入力用の文字キーを含むパーソナルコンピュータ用の操作キーを備えるように構成してもよい。
【００１６】
このように構成すれば、本発明の携帯端末をパーソナルコンピュータ（より具体的には、ＰＤＡ等の携帯型情報端末）として使用することができる。
【００１７】
上述の如くパーソナルコンピュータ用の操作キーを備える携帯端末の態様では、前記第一操作部及び前記第二操作部の少なくとも一方は、少なくとも数字入力用の数字キーを更に含む前記パーソナルコンピュータ用の操作キーを備えるように構成してもよい。
【００１８】
このように構成すれば、ユーザの操作性の向上を図ることができる。
【００１９】
上述の如く第一操作部、第二操作部及び第三操作部を備える携帯端末の態様では、前記第三の機能は、ゲーム機能であり、前記第三操作部は、少なくともゲームを操作するための操作キーを備えるように構成してもよい。
【００２０】
このように構成すれば、本発明の携帯端末をゲーム機として使用することができる。
【００２１】
上述の如く第一操作部、第二操作部及び第三操作部を備える携帯端末の態様では、前記第一筐体、前記第二筐体及び前記表示用筐体の夫々の位置関係に応じて、前記第一操作部、前記第二操作部及び前記第三操作部の少なくとも一つのキーパターンを変更する変更手段を更に備えるように構成してもよい。
【００２２】
このように構成すれば、ユーザは、第一筐体、第二筐体及び表示用筐体の夫々の位置関係（例えば、第一筐体と第二筐体との折り畳みの位置関係や、第一筐体と表示用筐体との折り畳みの位置関係等であって、言い換えれば、本発明の携帯端末において実現される機能）に応じて、好適な配置を有する操作キーを使用することができる。即ち、ユーザフレンドリな携帯端末を提供することができる。
【００２３】
上述の如く第一操作部、第二操作部及び第三操作部を備える携帯端末の態様では、ユーザによる当該携帯端末の持ち方に応じて、前記第一操作部、前記第二操作部及び前記第三操作部の少なくとも一つのキーパターンを変更する変更手段を更に備えるように構成してもよい。
【００２４】
このように構成すれば、本発明の携帯端末において実現される機能に応じて変化するユーザによる当該携帯端末の持ち方（例えば、携帯端末の水平面に対する角度等）に応じて、好適な配置を有する操作キーを使用することができる。即ち、ユーザフレンドリな携帯端末を提供することができる。
【００２５】
上述の如く第一操作部、第二操作部及び第三操作部を備える携帯端末の態様では、ユーザの設定に応じて、前記第一操作部、前記第二操作部及び前記第三操作部の少なくとも一つのキーパターンを変更する変更手段を更に備えるように構成してもよい。
【００２６】
このように構成すれば、ユーザの設定に応じて、好適な配置を有する操作キーを使用することができる。即ち、ユーザフレンドリな携帯端末を提供することができる。
【００２７】
本発明の携帯端末の他の態様では、前記表示用筐体は、裏面が前記第二筐体の表面と対向するように折り畳み可能に配置される。
【００２８】
この態様によれば、表示用筐体は、表面が第一筐体の表面と対向し、裏面が第二筐体の表面と対向するように折り畳まれる。即ち、表示用筐体が第一筐体と第二筐体との間に配置されるように折り畳まれる。
【００２９】
本発明の携帯端末の他の態様では、前記第一筐体及び前記第二筐体が折り畳まれた状態で、前記第一筐体の表面と前記第二筐体の表面との間に前記表示用筐体が配置可能な空隙が形成される。
【００３０】
この態様によれば、第二筐体を第一筐体に対して折り畳んだ場合、それらの間に表示用筐体を収納することができる。言い換えれば、表示用筐体を第一筐体に対して折り畳んだ状態で、第二筐体を更に第一筐体に対して（更には、表示用筐体に対して）折り畳むことができる。このため、携帯端末自体をより小さく折り畳むことができる。これにより、例えば携帯端末を持ち運ぶような場合等において、ユーザは、かさばらないという利点或いは持ち運びやすいという利点を享受することができる。
【００３１】
本発明の携帯端末の他の態様では、前記第二筐体は、前記第一筐体の一の端部に連結され、前記表示用筐体は、前記一の端部に対して略直交する前記第一筐体の他の端部に連結される。
【００３２】
この態様によれば、第一筐体、第二筐体及び表示用筐体の夫々は、略Ｌ字型に配置される。これにより、後に図面を用いて詳述するように、携帯端末の機能に応じた携帯端末の形態を好適に実現することができる。
【００３３】
本発明の携帯端末の他の態様では、前記第一筐体、前記第二筐体及び前記表示用筐体の夫々の位置関係に応じて、前記第一の機能、前記第二の機能及び前記第三の機能を切り替える切替手段を更に備える。或いは、本発明の携帯端末の他の態様では、ユーザによる当該携帯端末の持ち方に応じて、前記第一の機能、前記第二の機能及び前記第三の機能を切り替える切替手段を更に備える。或いは、本発明の携帯端末の他の態様では、ユーザの設定に応じて、前記第一操作部、前記第一の機能、前記第二の機能及び前記第三の機能を切り替える切替手段を更に備える。
【００３４】
これらの態様によれば、携帯端末において実現される各機能を、第一筐体、第二筐体及び表示用筐体の夫々の位置関係や、ユーザによる当該携帯端末の持ち方や、ユーザの設定に応じて好適に切り替えることができる。
【００３５】
本発明のこのような作用及び利得は次に説明する実施の形態から明らかにされる。
【発明を実施するための最良の形態】
【００３６】
以下、図面を参照しながら、本発明の携帯に係る実施形態について説明を進める。
【００３７】
（１）  携帯端末の外観
初めに、図１から図４を参照して、本実施形態に係る携帯端末の基本構成及び外観について説明を進める。ここに、図１は、本実施形態に係る携帯端末の表面側の外観を概略的に示す展開図であり、図２は、本実施形態に係る携帯端末の裏面側の外観を概略的に示す展開図であり、図３は、本実施形態に係る携帯端末の第一筐体と第二筐体との折り畳みの態様を概念的に示す側面図であり、図４は、本実施形態に係る携帯端末の第一筐体と第二筐体と表示用筐体との折り畳みの態様を概念的に示す側面図である。
【００３８】
図１に示すように、本実施形態に係る携帯端末１は、第一筐体１００と、第二筐体２００と、表示用筐体３００とを備えている。尚、本実施形態においては、図１に示す側を、携帯端末１の表側（或いは、表面）と規定する。即ち、図１には、第一筐体１００、第二筐体２００及び表示用筐体３００の夫々の表面が示されている。他方、後述の図２に示す側を、携帯端末１の裏側（或いは、裏面）と規定する。即ち、図２には、第一筐体１００、第二筐体２００及び表示用筐体３００の夫々の裏面が示されている。
【００３９】
第一筐体１００は、その表面に、アルファベットや数字等を入力するために用いられるキーボード１１０（いわゆる一般的なパーソナルコンピュータに付属するキーボード或いはそれが簡略化されたキーボードであって、本発明の「第一操作部」の一具体例）を備えている。また、第一筐体１００は、第一筐体１００の端部（図１中右側の端部）に連結されているヒンジ４０１を介して、第二筐体２００と連結されている。更に、第一筐体１００は、第一筐体１００の端部（図１中上側の端部）に連結されているヒンジ４０２を介して、表示用筐体３００と連結されている。
【００４０】
第二筐体２００は、その表面に、数字を入力するために用いられる携帯電話用操作ボタン２１０を備えている。携帯電話用操作キー２１０には、数字を入力するための数字ボタンの他に、当該携帯端末１が携帯電話機として動作する場合に有する機能に応じて、通話ボタンや、通話終了ボタンや、メールボタン等を備えている。
【００４１】
表示用筐体３００は、その表面に、表面の側に向かって映像等を表示することができる（即ち、光を発することができる）表示用ディスプレイ３０１ａを備えている。また、図１では視認することができない表示用筐体３００の裏面に、裏面の側に向かって映像等を表示することが表示用ディスプレイ３０１ｂを備えている（図２参照）。表示用ディスプレイ３０１ａ及び表示用ディスプレイ３０１ｂの夫々は、例えば有機ＥＬ（Electro Luminescence）ディスプレイや液晶ディスプレイ（ＬＣＤ：Liquid Crystal Display）等からなる。本実施形態においては、表示用ディスプレイ３０１ａと表示用ディスプレイ３０１ｂとを、夫々の映像表示面を互いに逆の向きに配置されるように張り合わせられている。
【００４２】
但し、両面発光型の表示用ディスプレイを一つ用いるように構成してもよい。具体的には、表示用ディスプレイ３０１ａと表示用ディスプレイ３０２とで発光層を共通にする有機ＥＬディスプレイを用いるように構成してもよいし、或いは、表示用ディスプレイ３０１ａと表示用ディスプレイ３０１ｂとでバックライトを共通にする液晶ディスプレイを用いるように構成してもよい。或いは、他の態様であっても、表示用筐体３００の表面の側及び裏面の側の夫々に向かって映像等を表示することができるディスプレイであれば、本実施形態に係る携帯端末１に用いることができる。
【００４３】
ヒンジ４０２には、ヒンジ４０２の動作（言い換えれば、第一筐体１００と表示用筐体３００との位置の変化）とは独立して、ヒンジ４０２の動作の方向（即ち、第一筐体１００に対する表示用筐体３００の回動の方向）に回動可能なカメラ５００が配置されている。
【００４４】
図２に示すように、第二筐体２００は、その裏面に、ゲームを操作するためのゲーム用コントローラ２２０（本発明の「第三操作部」の一具体例）を備えている。ゲーム用コントローラ２２０には、例えば十字キーや操作ボタン等が含まれる。
【００４５】
また、第二筐体２００は、その裏面にサブディスプレイ２３０を備える。サブディスプレイ２３０は、上述の表示用ディスプレイ３０１ａや表示用ディスプレイ３０１ｂと同様に、有機ＥＬディスプレイや液晶ディスプレイ等からなる。
【００４６】
続いて、図３を参照して、ヒンジ４０１を介した第一筐体１００と第二筐体２００との折り畳みの態様について詳細に説明する。尚、図３は、図１に示す携帯端末１を図１中のＡの方向から観察した場合の、携帯端末１の側面図を示している。
【００４７】
図３（ａ）に示すように、ヒンジ４０１を介することで、第二筐体２００は、ヒンジ４０１を中心とする円に沿うように回動することができる。従って、第二筐体２００が図３（ａ）の矢印の方向に沿って回動することで、第二筐体２００を第一筐体１００に向かって折り畳むことができる。図３（ｂ）は、第二筐体２００が第一筐体１００に向かって完全に折り畳まれた（言い換えれば、第二筐体２００と第一筐体１００とが完全に閉じた位置関係にある）状態を示しており、第二筐体２００の表面と第一筐体１００の表面とが対向している。このように、第二筐体２００は、図３（ａ）に示す位置から図３（ｂ）に示す位置まで、ヒンジ４０１を介して自由に回動することができる。もちろん、ヒンジ４０１の形状や大きさや構成等を変更することで、第二筐体２００が回動することができる範囲を変更するように構成してもよい。
【００４８】
続いて、図４を参照して、ヒンジ４０２を介した第一筐体１００と表示用筐体３００との折り畳みの態様について詳細に説明する。尚、図４は、図１に示す携帯端末１を図１のＢの方向から観察した場合の、携帯端末１の側面図を示している。
【００４９】
図４（ａ）に示すように、ヒンジ４０２を介することで、表示用筐体３００は、ヒンジ４０２を中心とする円に沿うように回動することができる。従って、表示用筐体が図４（ａ）の矢印の方向に沿って回動することで、表示用筐体３００を第一筐体１００に向かって折り畳むことができる。図４（ｂ）は、表示用筐体３００が第一筐体１００に向かって完全に折り畳まれた（言い換えれば、表示用筐体３００と第一筐体１００とが完全に閉じた位置関係にある）状態を示しており、表示用筐体３００の表面（即ち、表示用ディスプレイ３０１ａの表示面）と第一筐体１００の表面とが対向している。このように、表示用筐体３００は、図４（ａ）に示す位置から図４（ｂ）に示す位置まで、ヒンジ４０２を介して自由に回動ことができる。もちろん、ヒンジ４０２の形状や大きさや構成等を変更することで、表示用筐体３００が回動することができる範囲を変更するように構成してもよい。
【００５０】
このとき、図４（ｂ）に示す状態において、更に、第二筐体２００を、第一筐体１００に向かって（即ち、表示用筐体３００が既に折り畳まれている第一筐体１００に向かって）折り畳むことができる。具体的には、図３（ａ）及び図３（ｂ）において説明したように、ヒンジ４０１を介して第二筐体２００が回動することで、図４（ｃ）に示すように、第二筐体２００が第一筐体１００に向かって折り畳まれる。
【００５１】
このとき、図４（ｃ）に示す携帯端末１を図１のＡの方向から観察した場合の側面図である図４（ｄ）に示すように、表示用筐体３００は、第一筐体１００と第二筐体２００との間に挟まれる。このとき、表示用筐体３００の表面（即ち、表示用ディスプレイ３０１ａの表示面）と第一筐体１００の表面とが対向しており、表示用筐体３００の裏面（即ち、表示用ディスプレイ３０１ｂの表示面）と第二筐体２００の表面とが対向している。このように、第一筐体１００と第二筐体２００との間に表示用筐体３００を配置するために、第二筐体２００を第一筐体１００に向かって折り畳んだ場合、第一筐体１００と第二筐体２００との間に表示用ディスプレイ３００を配置することができる空隙が形成されるように、第一筐体１００及び第二筐体２００の夫々の表面の形状や大きさ等が定められる。
【００５２】
（２）  携帯端末の機能
続いて、図５から図８を参照して、本実施形態に係る携帯端末１の機能についての説明を進める。ここに、図５は、本実施形態に係る携帯端末１における第一筐体１００、第二筐体２００及び表示用筐体３００を全て折り畳んだ状態を示す平面図であり、図６は、本実施形態に係る携帯端末１の携帯電話機能を実現する際の折り畳みの態様を示す平面図であり、図７は、本実施形態に係る携帯端末１のパーソナルコンピュータ機能を実現する際の折り畳みの態様を示す平面図であり、図８は、本実施形態に係る携帯端末１のゲーム機能を実現する際の折り畳みの態様を示す平面図である。
【００５３】
図５に示すように、表示用筐体３００を第一筐体１００に向かって折り畳み、且つ第二筐体２００を第一筐体１００に向かって折り畳むことで、携帯端末１の大きさを、第一筐体１００の大きさ程度にまで小さくすることができる。図５に示す折り畳みの態様は、主として携帯端末１をユーザが持ち歩く場合に採られる態様である。
【００５４】
この場合、携帯端末１の外観に現れるサブディスプレイ２３０には、例えば後述の携帯電話機能を有する携帯端末１の電波状況や、携帯端末１の電池の消費状況（或いは、残存容量）や、現在の日時や、現在の時刻等を表示するように構成してもよい。或いは、携帯電話機能を有する携帯端末１に着信があったときには、該着信の有無や着信元の電話番号等を表示するように構成してもよい。或いは、それ以外の各種情報を表示するように構成してもよい。更には、ゲーム用コントローラ２２０が備える十字キーや操作ボタン等をユーザが操作することで、このサブディスプレイ２００の表示内容を変更するように構成してもよい。
【００５５】
また、この状態であっても、第二筐体２００の上部（つまり、図５中の上部）に設けられている切れ込みの存在により、カメラ５００が携帯端末１の外観に露出している。このため、カメラ５００を用いて写真撮影や動画撮影等を行うことができる。この場合、ゲーム用コントローラ２２０の十字キーや操作ボタン等をユーザが操作することで、カメラ５００を用いた写真撮影や動画撮影等における操作を行うように構成してもよい。
【００５６】
図６に示すように、図５に示す状態の携帯端末１の第二筐体２００を開くと、携帯端末１の外観は、携帯端末１が実現する機能の一つである携帯電話機能（本発明の「第一の機能」の一具体例）を実現する折り畳みの態様へと変わる。この折り畳みの態様では、第二筐体２００は第一筐体１００に向かって折り畳まれておらず、且つ表示用筐体３００は、表示用筐体３００の表面が第一筐体１００の表面と対向するように第一筐体１００に向かって折り畳まれている。言い換えれば、第二筐体２００は第一筐体１００に対して開いた状態にあり、表示用筐体３００は第一筐体１００に対して閉じた状態にある。
【００５７】
そしてこの折り畳みの態様では、携帯端末１は、携帯電話機能を実現すべきであると判断し、該判断結果に応じて携帯電話機能を実現する。その結果、第二筐体２００の表面に備えられている携帯電話用操作キー２１０を操作することで、ユーザは携帯端末１を携帯電話機として使用することができる。そして、携帯端末１を携帯電話機として使用する際には、携帯端末１の外観に露出している表示用筐体３００の裏面の表示用ディスプレイ３０１ｂを用いて各種情報を表示する。尚、携帯端末１を携帯電話機として使用するために、第一筐体１００はスピーカ１２０を備えており、第二筐体２００はマイク２４０を備えている。
【００５８】
また、この状態であっても、カメラ５００が携帯端末１の外観に露出しているため、カメラ５００を用いて写真撮影や動画撮影等を行うことができる。この場合、携帯電話用操作キー２１０をユーザが操作することで、カメラ５００を用いた写真撮影や動画撮影等における操作を行うように構成してもよい。
【００５９】
尚、携帯端末１が携帯電話機能を実現するためには、第二筐体２００が第一筐体１００に対して完全に開いた状態にある必要はない。より具体的には、ヒンジ４０１の開方向における動作の限界に至るまで第二筐体２００が第一筐体１００に対して開いた状態にある必要はない。第二筐体２００が第一筐体１００に対して概ね開いた状態にあると判断できれば、携帯電話機能を実現するように構成してもよい。例えば携帯電話用操作キー２１０をユーザが操作できる程度に第二筐体２００が第一筐体１００に対して開いた状態にあれば、携帯電話機能を実現するように構成してもよい。
【００６０】
同様に、携帯端末１が携帯電話機能を実現するためには、表示用筐体３００が第一筐体１００に対して完全に閉じた状態にある必要はない。より具体的には、ヒンジ４０２の閉方向における動作の限界に至るまで表示用筐体３００が第一筐体１００に対して閉じた状態にある必要はない。表示用筐体３００が第一筐体１００に対して概ね閉じた状態にあると判断できれば、携帯電話機能を実現するように構成してもよい。例えば、携帯電話用操作キー２１０を操作しながら、表示用ディスプレイ３０１ｂをユーザが視認することができる程度に表示用筐体３００が第一筐体１００に対して閉じた状態にあれば、携帯電話機能を実現するように構成してもよい。
【００６１】
続いて、図７に示すように、図６に示す状態の携帯端末１の表示用筐体３００を開くと、携帯端末１の外観は、携帯端末１が実現する機能の一つであるパーソナルコンピュータ機能（或いは、携帯型情報端末機能ないしはＰＤＡ機能等であって、本発明の「第二の機能」の一具体例）を実現する折り畳みの態様へと変わる。この折り畳みの態様では、第二筐体２００は第一筐体１００に向かって折り畳まれておらず、且つ表示用筐体３００は第一筐体１００に向かって折り畳まれていない。言い換えれば、第二筐体２００は第一筐体１００に対して開いた状態にあり、表示用筐体３００は第一筐体１００に対して開いた状態にある。
【００６２】
そしてこの折り畳みの態様では、携帯端末１は、パーソナルコンピュータ機能を実現すべきであると判断し、該判断結果に応じてパーソナルコンピュータ機能を実現する。その結果、第一筐体１００の表面に備えられているキーボード１１０及び第二筐体２００の表面に備えられている携帯電話用操作キー２１０を操作することで、ユーザは携帯端末１をパーソナルコンピュータ（或いは、携帯型情報端末ないしはＰＤＡ等）として使用することができる。そして、携帯端末１をパーソナルコンピュータ等として使用する際には、携帯端末１の外観に露出している表示用筐体３００の表面の表示用ディスプレイ３０１ａを用いて各種情報を表示する。
【００６３】
この場合、携帯電話操作用キー２１０のキーパターンを、パーソナルコンピュータ機能の実現に合わせて変更するように構成することが好ましい。具体的には、例えば、図６に示すような携帯電話機能を実現しているときの携帯電話操作用キー２１０のキーパターンから、図７に示すようなパーソナルコンピュータ機能を実現しているときの携帯電話操作用キー２１０のキーパターンに変更することが好ましい。より具体的には、携帯端末１を携帯電話機として使用している場合と、携帯端末１をパーソナルコンピュータ等として使用している場合とでは、携帯端末１のユーザに対する向きが異なっていることから、図７に示す例では、携帯電話操作用キー２１０の各キーの種別等を示すキー表示（具体的には、各キー上の“１”や“２”等の表示）の方向を変更している。また、携帯電話用操作キー２１０に、パーソナルコンピュータにおいて頻繁に用いられるテンキーとしての機能を持たせるべく、“＋”や“×”や“＝“や”Ｅｎｔｅｒ“等のキーを追加するようにキーパターンを変更している。
【００６４】
尚、キーパターンの変更は、携帯電話用操作キー２１０に限られるものではなく、キーボード１１０やゲームコントローラ２２０の各キーに対して行ってもよいことは言うまでもない。このキーパターンの変更動作については後に詳述する（図９参照）。
【００６５】
また、この状態であっても、カメラ５００が携帯端末１の外観に露出しているため、カメラ５００を用いて写真撮影や動画撮影等を行うことができる。この場合、キーボード１１０や携帯電話用操作キー２１０をユーザが操作することで、カメラ５００を用いた写真撮影や動画撮影等における操作を行うように構成してもよい。
【００６６】
尚、携帯端末１がパーソナルコンピュータ機能を実現するためには、第二筐体２００が第一筐体１００に対して完全に開いた状態にある必要はない。より具体的には、ヒンジ４０１の開方向における動作の限界に至るまで第二筐体２００が第一筐体１００に対して開いた状態にある必要はない。第二筐体２００が第一筐体１００に対して概ね開いた状態にあると判断できれば、パーソナルコンピュータ機能を実現するように構成してもよい。例えばキーボード１１０や携帯電話用操作キー２１０をユーザが操作できる程度に第二筐体２００が第一筐体１００に対して開いた状態にあれば、パーソナルコンピュータ機能を実現するように構成してもよい。
【００６７】
同様に、携帯端末１がパーソナルコンピュータ機能を実現するためには、表示用筐体３００が第一筐体１００に対して完全に開いた状態にある必要はない。より具体的には、ヒンジ４０２の開方向における動作の限界に至るまで表示用筐体３００が第一筐体１００に対して開いた状態にある必要はない。表示用筐体３００が第一筐体１００に対して概ね開いた状態にあると判断できれば、パーソナルコンピュータ機能を実現するように構成してもよい。例えば、キーボード１１０や携帯電話用操作キー２１０を操作しながら、表示用ディスプレイ３０１ａをユーザが視認することができる程度に表示用筐体３００が第一筐体１００に対して開いた状態にあれば、パーソナルコンピュータ機能を実現するように構成してもよい。
【００６８】
続いて、図８に示すように、図７に示す状態の携帯端末１の第二筐体２００を第一筐体１００に向かって折り畳むと、携帯端末１の外観は、携帯端末１が実現する機能の一つであるゲーム機能（本発明の「第三の機能」の一具体例）を実現する折り畳みの態様へと変わる。この折り畳みの態様では、第二筐体２００は第一筐体１００に向かって折り畳まれており、且つ表示用筐体３００は第一筐体１００に向かって折り畳まれていない。言い換えれば、第二筐体２００は第一筐体１００に対して閉じた状態にあり、表示用筐体３００は第一筐体１００に対して開いた状態にある。
【００６９】
そしてこの折り畳みの態様では、携帯端末１は、ゲーム機能を実現すべきであると判断し、該判断結果に応じてゲーム機能を実現する。その結果、第二筐体２００の裏面に備えられているゲームコントローラ２２０を操作することで、ユーザは携帯端末１をゲーム機として使用することができる。そして、携帯端末１をゲーム機として使用する際には、携帯端末１の外観に露出している表示用筐体３００の表面の表示用ディスプレイ３０１ａを用いて各種情報を表示する。また、サブディスプレイ２３０に、ゲーム機の機能の実現に応じた各種情報や、或いは、上述した各種情報を表示するように構成してもよい。
【００７０】
また、この状態であっても、第二筐体２００の上部に設けられている切れ込みの存在により、カメラ５００が携帯端末１の外観に露出しているため、カメラ５００を用いて写真撮影や動画撮影等を行うことができる。この場合、ゲーム用コントローラ２２０の十字キーや操作ボタン等をユーザが操作することで、カメラ５００を用いた写真撮影や動画撮影等における操作を行うように構成してもよい。
【００７１】
尚、携帯端末１がゲーム機能を実現するためには、第二筐体２００が第一筐体１００に対して完全に閉じた状態にあり且つ表示用筐体３００が第一筐体１００に対して完全に開いた状態にある必要はない。図８に示すようなゲーム機能が実現される際の折り畳みの態様を概ね同等と判断できる程度に第二筐体２００が第一筐体１００に対して閉じた状態にあり且つ表示用筐体３００が第一筐体１００に対して開いた状態にある場合には、携帯端末１をゲーム機として使用するように構成してもよい。具体的には、例えば表示用ディスプレイ３０１ａを視認しながらゲームコントローラ２２０を操作できる程度の折り畳みの態様であれば、ゲーム機能を実現するように構成してもよい。
【００７２】
（３）  キーパターンの変更動作及び携帯端末が実現する機能の切替動作
続いて、図９を参照して、本実施形態に係る携帯端末１のキーパターンの変更動作及び折り畳みのパターンに応じた機能の切替動作について説明を進める。ここでは、キーパターンの変更動作及び折り畳みのパターンに応じた機能の切替動作を、携帯端末１内部に形成される機能ブロックの説明と共に説明する。ここに、図９は、本実施形態に係る携帯端末１の内部で実現される機能ブロックを概略的に示すブロック図である。
【００７３】
図９に示すように、携帯端末１の内部では、機能ブロックとして、表示ドライバ６０１と、操作信号検出部６０２と、筐体位置関係検出部６０３と、端末保持態様検出部６０４と、メモリ６０５と、機能切替部６０６と、携帯電話機能部６０７と、パーソナルコンピュータ機能部６０８と、ゲーム機能部６０９と、共通機能部６１０とを備えている。
【００７４】
表示ドライバ６０１は、携帯電話機能部６０７や、パーソナルコンピュータ機能部６０８や、ゲーム機能部６０９や、共通機能部６１０からの指示に基づいて、表示用ディスプレイ３０１ａや、表示用ディスプレイ３０１ｂや、サブディスプレイ２３０に文字や映像等を表示するための制御信号を出力する。表示用ディスプレイ３０１ａや、表示用ディスプレイ３０１ｂや、サブディスプレイ２３０は、出力された制御信号に基づいて、文字や映像等を表示面上に表示する。
【００７５】
操作信号検出部６０２は、キーボード１１０や、携帯電話用操作キー２１０や、ゲームコントローラ２２０の操作に基づく操作信号を検出する。検出された操作信号は、機能切替部６０６や、携帯電話機能部６０７や、パーソナルコンピュータ機能部６０８や、ゲーム機能部６０９や、共通機能部６１０に出力され、各種処理に用いられる。
【００７６】
筐体位置関係検出部６０３は、第一筐体１００と第二筐体２００と表示用筐体３００との夫々の位置関係（即ち、折り畳みの態様）を検出する。具体的には、第一筐体１００、第二筐体２００及び表示用筐体３００の夫々に設けられる、各筐体の絶対位置や相対位置を検出するセンサの検出結果や、或いはヒンジ４０１やヒンジ４０２内部に設けられるヒンジ４０１やヒンジ４０２の動作の程度（言い換えれば、開閉の大きさ）を検出するセンサ等の検出結果等に基づいて、第一筐体１００と第二筐体２００と表示用筐体３００との夫々の位置関係（即ち、折り畳みの態様）を検出する。検出結果は、機能切替部６０６に出力される。
【００７７】
端末保持態様検出部６０４は、携帯端末１のユーザによる保持のされ方（例えば、ユーザによる携帯端末１の持つ角度等）を検出可能に構成されている。具体的には、上述したセンサの検出結果等に基づいて、例えば携帯端末１が図６に示すように縦に長い態様で（言い換えれば、第一筐体１００と第二筐体２００とが縦方向ないしは垂直方向に並ぶように）保持されているか、或いは図７に示すように横に長い態様で（言い換えれば、第一筐体１００と第二筐体２００とが横方向ないしは水平方向に並ぶように）保持されているか当を検出する。検出結果は、機能切替部６０６に出力される。
【００７８】
メモリ６０５は、各機能ブロックが動作する際に用いる各種変数やパラメータ等を一時的に格納するＲＡＭ（Random Access Memory）や、各機能ブロックが動作するためのプログラムを格納するＲＯＭ（Read Only Memory）や、携帯端末１の動作に応じて利用される例えば携帯番号メモリやメールやユーザが保存するユーザデータやゲームのセーブデータ等を格納するフラッシュメモリ或いは小型ハードディスク等を含んでいる。
【００７９】
機能切替部６０６は、本発明の「変更手段」及び「切替手段」の一具体例であって、筐体位置検出部６０３や端末保持態様検出部６０４の検出結果に基づいて、現在の携帯端末１の折り畳みの態様が、携帯電話機能を実現する際の態様であるか、パーソナルコンピュータ機能を実現する際の態様であるか、或いはゲーム機能を実現する際の態様であるかを決定する。その後、切替機能部６０６は、携帯電話機能部６０６を動作させるか、パーソナルコンピュータ機能部６０７を動作させるか、或いはゲーム機能部６０８を動作させるかを決定し、携帯端末１の機能を切り替える。更には、機能切替部６０６は、決定される携帯端末１の折り畳みの態様に応じて、キーパターンの配列を変更するための指示を、携帯電話機能部６０７やパーソナルコンピュータ機能部６０８やゲーム機能部６０９に出力する。或いは、機能切替部６０６は、キーボード１１０や携帯電話用操作キー２１０やゲームコントローラ２２０等の操作により当該携帯端末１に入力される、キーパターンの配列を変更するためのユーザ自身から指示に基づいて、キーパターンの配列を変更するための指示を、携帯電話機能部６０７やパーソナルコンピュータ機能部６０８やゲーム機能部６０９に出力してもよい。
【００８０】
携帯電話機能部６０７は、機能切替部６０６の指示に基づいて、携帯電話機能を実現するように携帯端末１の動作を制御する。加えて、携帯電話機能部６０７は、機能切替部６０６の指示に基づいて、携帯端末１を携帯電話機として使用する場合に好適なキーパターンとなるように、即ち、図６及び図７等に示すように、携帯電話用操作キー２１０（更には、キーボード１１０やゲームコントローラ２２０）のキーパターンを変更する。
【００８１】
尚、携帯電話操作用キー２１０等の各キーの種別等を示すキー表示は、例えば規則的に配列された複数の発光ダイオード等による発光のパターンにより表示されることが好ましい。この場合、機能切替部６０６の指示に基づく携帯電話機能６０７の動作により、発光パターンを変更する指示を発光ダイオードに出力することで、キーパターンの変更に伴って、各キーのキー表示を変更することができる。もちろん、他の態様でキー表示を表示するように構成してもよいが、キーパターンの変更に伴って各キーのキー表示を変更することができる態様でキー表示が表示される必要がある。
【００８２】
パーソナルコンピュータ機能部６０８は、機能切替部６０６の指示に基づいて、パーソナルコンピュータ機能を実現するように携帯端末１の動作を制御する。加えて、パーソナルコンピュータ機能部６０８は、機能切替部６０６の指示に基づいて、携帯端末１をパーソナルコンピュータとして使用する場合に好適なキーパターンとなるように、キーボード１１０や携帯電話用操作キー２１０（更には、ゲームコントローラ２２０）のキーパターンを変更する。
【００８３】
ゲーム機能部６０９は、機能切替部６０６の指示に基づいて、ゲーム機能を実現するように携帯端末１の動作を制御する。加えて、ゲーム機能部６０９は、機能切替部６０６の指示に基づいて、携帯端末１をゲーム機として使用する場合に好適なキーパターンとなるように、ゲームコントローラ２２０（更には、キーボード１１０や携帯電話用操作キー２１０）のキーパターンを変更する。
【００８４】
共通機能部６１０は、携帯電話機能、パーソナルコンピュータ機能及びゲーム機能のいずれにも共通する機能を実現するように携帯端末１の動作を制御する。具体的には、携帯端末１の日時を管理したり、該日時を表示したりする。
【００８５】
尚、各機能ブロックの間のデータの入出力は、データバス６１１を介して行われる。
【００８６】
以上説明したように、携帯端末１が備える第一筐体１００、第二筐体２００及び表示用筐体３００の夫々の位置関係（つまりは、携帯端末１の折り畳みのパターン）に応じて、携帯端末１が実現する機能を変えることができる。特に、携帯端末１が備える第一筐体１００、第二筐体２００及び表示用筐体３００の夫々の位置関係に応じて、表面の表示用ディスプレイ３０１ａ及び裏面の表示用ディスプレイ３０１ｂのいずれを主として用いるかが定まる。このため、折り畳みのパターンに応じてより好適な表示用ディスプレイを用いて、携帯電話機能、パーソナルコンピュータ機能及びゲーム機能の夫々を実現することができる。このため、携帯端末１が実現する機能の切替・変更にかかわらず、ユーザにとって表示用ディスプレイ３０１ａ又は表示用ディスプレイ３０１ｂに表示される表示内容を視認しやすい状態を好適に実現することができる。これにより、新規な形態を有するユーザフレンドリな携帯端末１をユーザに提供することができ、その結果、ユーザは、高度に多機能化された携帯端末１であっても、夫々の機能に応じた使いやすい態様で携帯端末１を使用することができる。
【００８７】
また、キーボード１１０や携帯電話用操作キー２１０やゲームコントローラ２２０についても、折り畳みのパターンに応じて（言い換えれば、携帯端末１において実現される機能に応じて）、より好適なキーパターンに変更することができる。これにより、ユーザは、高度に多機能化された携帯端末１であっても、夫々の機能に応じた使いやすい態様で携帯端末１を使用することができる。
【００８８】
加えて、携帯端末１を使用しない場合には、折り畳まれた第一筐体１００と第二筐体２００との間に表示用筐体３００を収納することができる。従って、上述の如く高度に多機能化されるがゆえに比較的複雑な或いは相対的に大きな形態を有する携帯端末１であっても、コンパクトに持ち歩くことができる。
【００８９】
尚、上述の実施形態は、ある機能を実現する際に好適な折り畳みの態様を例示しているに過ぎず、単に機能を実現するという点においては、各種折り畳みの態様で各種機能を実現するように構成してもよい。例えば携帯電話機能が実現される折り畳みの態様で、パーソナルコンピュータ機能やゲーム機能を実現するように構成してもよいし、パーソナルコンピュータ機能が実現される折り畳みの態様で、携帯電話機能やゲーム機能を実現するように構成してもよいし、ゲーム機能が実現される折り畳みの態様で、携帯電話機能やパーソナルコンピュータ機能を実現するように構成してもよい。或いは、上述の実施形態で図面を用いて具体的に説明しなかった折り畳みの態様で、携帯電話機能やパーソナルコンピュータ機能やゲーム機能を実現するように構成してもよい。
【００９０】
本発明は、上述した実施例に限られるものではなく、請求の範囲及び明細書全体から読み取れる発明の要旨或いは思想に反しない範囲で適宜変更可能であり、そのような変更を伴なう携帯端末もまた本発明の技術的範囲に含まれるものである。
【産業上の利用可能性】
【００９１】
本発明は、例えば携帯電話や携帯型情報端末やＰＤＡ（Personal Digital Assistance）等のポータブルな携帯端末に利用することができる。
【図面の簡単な説明】
【００９２】
【図１】本実施形態に係る携帯端末の外観全体の表側を概略的に示す展開図である。
【図２】本実施形態に係る携帯端末の外観全体の裏側を概略的に示す展開図である。
【図３】本実施形態に係る携帯端末の第一筐体と第二筐体との折り畳みの態様を概念的に示す側面図である。
【図４】本実施形態に係る携帯端末の第一筐体と第二筐体と表示用筐体との折り畳みの態様を概念的に示す側面図である。
【図５】本実施形態に係る携帯端末における第一筐体、第二筐体及び表示用筐体を全て折り畳んだ状態を示す平面図である。
【図６】本実施形態に係る携帯端末の携帯電話機能を実現する際の折り畳みの態様を示す平面図である。
【図７】本実施形態に係る携帯端末のパーソナルコンピュータ機能を実現する際の折り畳みの態様を示す平面図である。
【図８】本実施形態に係る携帯端末のゲーム機能を実現する際の折り畳みの態様を示す平面図である。
【図９】本実施形態に係る携帯端末の内部で実現される機能ブロックを概略的に示すブロック図である。
【符号の説明】
【００９３】
１  携帯端末
１００  第一筐体
１１０  キーボード
２００  第二筐体
２１０  携帯電話用操作キー
２２０  ゲームコントローラ
３００  表示用筐体
３０１ａ  表示用ディスプレイ
３０１ｂ  表示用ディスプレイ
６０３  筐体位置関係検出部
６０４  端末保持態様検出部
６０６  機能切替部
６０７  携帯電話機能部
６０８  パーソナルコンピュータ機能部
６０９  ゲーム機能部
【図１】
2007019680.tif 000003
【図２】
2007019680.tif 000004
【図３】
2007019680.tif 000005
【図４】
2007019680.tif 000006
【図５】
2007019680.tif 000007
【図６】
2007019680.tif 000008
【図７】
2007019680.tif 000009
【図８】
2007019680.tif 000010
【図９】
2007019680.tif 000011